(57)【要約】【課題】本発明は、体裁も良く、使い勝手の良い洗剤トレーおよび乾燥フィルタを備えたドラム式洗濯乾燥機を提供することを目的とする。【解決手段】本発明は、回転軸心線を横にした回転自在なる回転ドラムと、洗濯水を溜め、前記回転ドラムを内置する外槽と、前記外槽を内置する筐体本体部と、前記筐体本体部の上側左右に振り分けて配置された引き出し自在なる洗剤トレーおよび乾燥フィルタとを有し、前記乾燥フィルタは、フィルタ容器と、前記フィルタ容器の前側に位置し、かつ前下がりに傾斜する乾燥フィルタ用外カバーと、前記乾燥フィルタ用外カバーの後部側に位置し、かつ後上がりに傾斜する乾燥フィルタ用外カバー取っ手蓋を有し、前記乾燥フィルタ用外カバー取っ手蓋は、前記乾燥フィルタ用外カバーに対して段違いなるように下がったり、面一状態に戻ったりするように回動自在に支持されていることを特徴とする。【選択図】図２
2008119054.tif 000002
【特許請求の範囲】
【請求項１】
回転軸心線を横にした回転自在なる回転ドラムと、洗濯水を溜め、前記回転ドラムを内置する外槽と、前記外槽を内置する筐体本体部と、前記筐体本体部の上側左右に振り分けて配置された引き出し自在なる洗剤トレーおよび乾燥フィルタとを有し、
前記洗剤トレーは、洗剤容器と、前記洗剤容器の前側に位置し、かつ前下がりに傾斜する洗剤トレー用外カバーと、前記洗剤トレー用外カバーの前側に位置し、かつ前下がりに傾斜する洗剤トレー用取っ手蓋を有し、
前記洗剤トレー用取っ手蓋は、前記洗剤トレー用外カバーに対して段違いになるように下がったり、面一状態に戻ったりするように回動自在に支持されていることを特徴とするドラム式洗濯乾燥機。
【請求項２】
回転軸心線を横にした回転自在なる回転ドラムと、洗濯水を溜め、前記回転ドラムを内置する外槽と、前記外槽を内置する筐体本体部と、前記筐体本体部の上側左右に振り分けて配置された引き出し自在なる洗剤トレーおよび乾燥フィルタとを有し、
前記乾燥フィルタは、フィルタ容器と、前記フィルタ容器の前側に位置し、かつ前下がりに傾斜する乾燥フィルタ用外カバーと、前記乾燥フィルタ用外カバーの後部側に位置し、かつ後上がりに傾斜する乾燥フィルタ用外カバー取っ手蓋を有し、
前記乾燥フィルタ用外カバー取っ手蓋は、前記乾燥フィルタ用外カバーに対して段違いなるように下がったり、面一状態に戻ったりするように回動自在に支持されていることを特徴とするドラム式洗濯乾燥機。
【請求項３】
回転軸心線を横にした回転自在なる回転ドラムと、洗濯水を溜め、前記回転ドラムを内置する外槽と、前記外槽を内置する筐体本体部と、前記筐体本体部の上側左右に振り分けて配置された引き出し自在なる洗剤トレーおよび乾燥フィルタとを有し、
洗剤トレーは、洗剤容器と、前記洗剤容器の前側に位置し、かつ前下がりに傾斜する洗剤トレー用外カバーと、前記洗剤トレー用外カバーの前側に位置し、かつ前下がりに傾斜する洗剤トレー用取っ手蓋を有し、
前記洗剤トレー用取っ手蓋は、前記洗剤トレー用外カバーに対して段違いになるように下がったり、面一状態に戻ったりするように回動自在に支持され、
前記乾燥フィルタは、フィルタ容器と、前記フィルタ容器の前側に位置し、かつ前下がりに傾斜する乾燥フィルタ用外カバーと、前記乾燥フィルタ用外カバーの後部側に位置し、かつ後上がりに傾斜する乾燥フィルタ用外カバー取っ手蓋を有し、
前記乾燥フィルタ用外カバー取っ手蓋は、前記乾燥フィルタ用外カバーに対して段違いなるように下がったり、面一状態に戻ったりするように回動自在に支持されていることを特徴とするドラム式洗濯乾燥機。
【請求項４】
請求項３記載のドラム式洗濯乾燥機において、
前記乾燥フィルタは、洗剤トレーよりも高い位置に設けたことを特徴とするドラム式洗濯乾燥機。
【請求項５】
請求項３記載のドラム式洗濯乾燥機において、
乾燥用空気循環路に備える送風機を有し、前記乾燥フィルタは前記送風機が位置する側に設けたことを特徴とするドラム式洗濯乾燥機。
【発明の詳細な説明】
【技術分野】
【０００１】
本発明は、洗濯から乾燥まで通じて行なうことができるドラム式洗濯乾燥機に関するものである。
【背景技術】
【０００２】
ドラム式洗濯乾燥機は、例えば、特開２００６−５５３８１号公報（特許文献１）に記載されているように、回転軸心線を横にした回転自在なる回転ドラムと、洗濯水を溜め、前記回転ドラムを内置する外槽と、前記外槽を内置する外枠筐体と、前記外枠筐体内に前記外槽を防振支持する防振支持手段を有する。
【０００３】
さらに、ドラム式洗濯乾燥機は、前記筐体本体部の上側左右に振り分けて配置された引き出し自在なる洗剤トレーおよび乾燥フィルタを有する。
【０００４】
【特許文献１】特開２００６−５５３８１号公報
【発明の開示】
【発明が解決しようとする課題】
【０００５】
洗剤トレーおよび乾燥フィルタは、ドラム式洗濯乾燥機の前面上部に出し入れ自在に装着されるので、ドラム式洗濯乾燥機の前面デザインと良く調和する体裁の良さが要求される。
【０００６】
また、洗剤トレーおよび乾燥フィルタは、ドラム式洗濯乾燥機の前面上部の両角に備えるので、取っ手の構成に制限があり、取っ手の使勝手を損ねる嫌いがある。
【０００７】
本発明は、上記の課題に鑑み、体裁が良く、取っ手の使い勝手が良い洗剤トレーおよび乾燥フィルタを備えたドラム式洗濯乾燥機を提供することを目的とする。
【課題を解決するための手段】
【０００８】
本発明は、回転軸心線を横にした回転自在なる回転ドラムと、洗濯水を溜め、前記回転ドラムを内置する外槽と、前記外槽を内置する筐体本体部と、前記筐体本体部の上側左右に振り分けて配置された引き出し自在なる洗剤トレーおよび乾燥フィルタとを有し、前記洗剤トレーは、洗剤容器と、前記洗剤容器の前側に位置し、かつ前下がりに傾斜する洗剤トレー用外カバーと、前記洗剤トレー用外カバーの前側に位置し、かつ前下がりに傾斜する洗剤トレー用取っ手蓋を有し、前記洗剤トレー用取っ手蓋は、前記洗剤トレー用外カバーに対して段違いになるように下がったり、面一状態に戻ったりするように回動自在に支持されていることを特徴とする。
【０００９】
また、本発明は、回転軸心線を横にした回転自在なる回転ドラムと、洗濯水を溜め、前記回転ドラムを内置する外槽と、前記外槽を内置する筐体本体部と、前記筐体本体部の上側左右に振り分けて配置された引き出し自在なる洗剤トレーおよび乾燥フィルタとを有し、前記乾燥フィルタは、フィルタ容器と、前記フィルタ容器の前側に位置し、かつ前下がりに傾斜する乾燥フィルタ用外カバーと、前記乾燥フィルタ用外カバーの後部側に位置し、かつ後上がりに傾斜する乾燥フィルタ用外カバー取っ手蓋を有し、前記乾燥フィルタ用外カバー取っ手蓋は、前記乾燥フィルタ用外カバーに対して段違いなるように下がったり、面一状態に戻ったりするように回動自在に支持されていることを特徴とする。
【発明の効果】
【００１０】
本発明によれば、体裁も良く、使い勝手の良い洗剤トレーおよび乾燥フィルタを備えたドラム式洗濯乾燥機を提供できる。
【発明を実施するための最良の形態】
【００１１】
以下、本発明の実施形態に係わる実施例について、図を引用して説明する。
【００１２】
まず、図１、図２、図３を基づいて、ドラム式洗濯乾燥機の外観や内部構造に関する概要を述べる。
【００１３】
外枠筐体は、筐体本体部２１と、前記筐体本体部２１を載置するように支持するベース部１を有する。
【００１４】
筐体本体部２１は、ほぼ平坦の両側面部４と、後面部９と、ほぼ平坦で矩形状の前面部２と、前記前面部２と両側面部４との間に位置する湾曲コーナ面部５と、前記前面部２の中央に設けられた開閉自在なる洗濯物の出入扉３を有する。
【００１５】
更に、筐体本体部２１は、湾曲上面部６、下側湾曲コーナ面部７、凹状の天井面部８、前面部２の一部である下側前面部２００を有する。天井面部８は凹状になっているので、洗剤等の小物を一時的に置くことができる。
【００１６】
湾曲上面部６には洗剤トレー１０、乾燥フィルタ１１が両側に配置されている。また、ドラム式洗濯乾燥機を制御するための操作部１２と表示部１３が湾曲上面部６のほぼ中央部付近に配置されている。
【００１７】
両側面部４には本体を持ち運びするため下部に下側取っ手１４が複数個設けられ、上側に上側取っ手１５が設けられている。特に上側の取っ手１５は、出入扉３が前面側にあるフロントオープン式のドラム式洗濯乾燥機では重量の有る駆動部が後側なるので後方に位置させている。
【００１８】
ベース部１には洗濯水を排水するための排水ホース１６が取付けられており、そのホース１６を固定するためのホース取付け穴１７が設けられている。また、ベース部１の四隅には取付け脚１８が設けられている。この取付け脚１８はゴムで形成され、ドラム式洗濯乾燥機の運転時の振動を減衰させている。
【００１９】
前面部２の右上部には出入扉３を開くための押しボタンスイッチ１９が設けられ、下側前面部２００には洗濯物のリントを捕集するためのリントフィルタ２０が設けられている。
【００２０】
なお、上記の外枠筐体は筐体本体部２１とベース部１を有するが、ベース部１を設けず、筐体本体部２１に取付け脚１８を設けるようにすることも可能である。この場合は、筐体本体部が外枠筐体になる。
【００２１】
全体の外郭部を構成している筐体本体部２１の内側には外槽２２が備えられる。外槽２２の下部には複数個のサスペンション２３が備えられ、外槽２２を下から支持している。また、外槽２２の上部は、前後に配置された二個の引きバネ２４、２５により支持している。
【００２２】
サスペンション２３は外槽２２および付属する全重量を支持するものであり、強固な構成にできている。また、脱水運転時に生じる外槽２２の共振による異常振動を防止するための減衰機構などが設けられている。
【００２３】
また、外槽２２の上部から支持している引きバネ２４、２５は外槽２２の前後方向の倒れ防止を兼ねた支持や脱水時の前後、上下及び左右方向の振動を低減するために設けられている。
【００２４】
洗濯やすすぎ時には、水道の蛇口に接続された給水ホース２６、給水電磁弁２７に接続された注水ホース２８、洗剤トレー１０を経由して、洗濯やすすぎに必要な水が供給される。
【００２５】
供給された水は外槽２２の底部に洗濯水として、またすすぎ時にはすすぎ水として溜められている。洗剤トレー１０には洗濯時に必要な洗剤を投入し、すすぎ時には仕上がりをよくするために柔軟仕上げ剤を投入する。
【００２６】
洗濯時には、注水ホース２８から供給された水が洗剤トレー１０の洗剤を溶かしながら外槽２２の上部からフレキシブルホース２９を介して投入される。
【００２７】
外槽２２の内側にある回転ドラム３０には出入扉３を開けて投入されて洗濯物３１が内置される。回転ドラム３０の開口部の外周には、脱水時の洗濯物３１によるアンバランス振動を低減するための流体バランサー３２が設けられている。
【００２８】
回転ドラム３０の内側には、脱水時に高速回転で洗濯物３１に含まれている水分を脱水するための脱水穴３３が全周に複数個設けられている。
【００２９】
また、回転ドラム３０の内側には洗濯時に洗濯物を掻き揚げられるようにするために複数個のリフタ―３４が設けられている。回転ドラム３０は回転ドラム用金属製フランジ３５に連結された主軸３６を介して回転ドラム駆動用モータ３７に直結されている。
【００３０】
回転ドラム駆動用モータ３７は外槽２２に固定された金属製フランジ３５に取付けられている。本実施例の場合、回転ドラム駆動用モータ３７は磁石埋め込み形のインナーロータでステータは集中巻の巻線を有するＤＣブラシレスモータを使用している。
【００３１】
外槽２２の開口部には弾性体からなるゴム系のベローズ３８が取付けられている。このべローズ３８は出入扉３を構成する耐熱ガラスと接するように構成されている。
【００３２】
洗濯やすすぎが終了して不要になった水や脱水時に洗濯物３１から脱水された水は排水弁３９を開放して排水ホース１６から排水される。
【００３３】
乾燥時は送風ファン４０により送風された送風は洗濯物３１が入った回転ドラム３０の中及び外周を通ってくるためリントが含まれるので必ず乾燥フィルタ１１（図１、図２）を通す必要がある。
【００３４】
このため、乾燥フィルタ１１を経由してヒータ４１に送風し、加熱された温風は外槽上部に設けられた開口部４２より回転ドラム３０の中に送風される。
【００３５】
温風は洗濯物３１を通って回転ドラム３０の後部から外槽２２の底部に設けられた除湿装置４３の通風口４４を通って除湿され送風ファン４０により循環を繰り返して洗濯物３１を乾燥させる。
【００３６】
次に本発明の主要部について、図４〜図１１を加えて説明する。
【００３７】
乾燥用空気循環路は、送風ダクト２００、送風ファン４０、ヒータ４１、乾燥フィルタ１１、除湿装置４３、通風口４４等を含む。
【００３８】
図４に示すように、送風ファン４０が設けられた風洞２１０は、内部にヒータ４１が設けられる。
【００３９】
除湿装置４３で除湿された乾燥用空気は送風ダクト２００から乾燥フィルタ１１の内部を流れてリントが除去される。リントの除去された乾燥用空気は送風ファン４０に送風ファン４０を径由して風洞２１０に吐出されてヒータ４１で加熱される。加熱された乾燥用空気はフレキシブルダクト（図示せず）を経由して開口部４２から外槽２２に流入する。
【００４０】
引き出し自在なる洗剤トレー１０、乾燥フィルタ１１は、筐体本体部２１の上側左右に振り分けて配置される。外槽２２は円形をしているので、筐体本体部２１の上側両角にできる空間を利用して洗剤トレー１０、乾燥フィルタ１１を配置した。
【００４１】
左側に洗剤トレー１０が、右側に乾燥フィルタ１１が置かれる。右側には、乾燥用空気循環路の送風ファン４０や風洞２１０が設けられるので、図６に示すように、乾燥フィルタ１１は洗剤トレー１０よりも高い位置に設けられる。
【００４２】
送風ファン４０や風洞２１０は、大きいので筐体本体部２１の上側角のスペースを多く占める。このため、乾燥フィルタ１１は送風ファン４０や風洞２１０の上側に残るスペ−スに置かれるので、洗剤トレー１０よりも高い位置になる。
【００４３】
また、送風ファン４０や風洞２１０の上側に乾燥フィルタ１１を配置することにより、乾燥フィルタ１１と送風ファン４０との通風路もまとめ易い。
【００４４】
図６では、乾燥フィルタ１１は収納された状態を、洗剤トレー１０は引き出した状態を示している。
【００４５】
洗剤トレー１０は、図７、図８に示すように、洗剤容器３００と、洗剤容器３００の前側に設けられ、手前側に下がる傾斜形状の洗剤トレー用外カバー３１０と、洗剤トレー用外カバー３１０の前側に設けられた洗剤トレー用取っ手蓋３２０を有する。
【００４６】
さらに洗剤トレー用外カバー３１０と洗剤トレー用取っ手蓋３２０は、支持枠３３０に支持されている。洗剤トレー用取っ手蓋３２０は、支持枠３３０にヒンジ（図示せず）で回動自在に支持されている。
【００４７】
洗剤トレー用取っ手蓋３２０は、付勢ばね（図示せず）で洗剤トレー用外カバー３１０の前側端に対して面一状態が保たれるように付勢されている。
【００４８】
洗剤トレー１０の着脱に際しては、図８に示すように、洗剤トレー用取っ手蓋３２０が洗剤トレー用外カバー３１０の前側端に対して段違いなるように手で押し下げられる。押し下げていた手を離すと、付勢ばねの力で面一状態に戻される（図７）。
【００４９】
洗剤トレー１０は収納された状態では、洗剤トレー用取っ手蓋３２０が洗剤トレー用外カバー３１０に対して段差もなく面一状態が保たれているので、すっきりと整った体裁の良いデザインになる。
【００５０】
また、洗剤トレー用取っ手蓋３２０、洗剤トレー用外カバー３１０は、手前側が下がるように傾斜する円弧形状をしているので、筐体本体部２１の湾曲上面部６に沿ったすっきりとした体裁の良いデザインになる。
【００５１】
洗剤トレー１０は、洗剤容器３００に溶解洗剤を流し込むサイホン３４０を有する。サイホン３４０の高さを考慮して、送風ファン４０が配置されない筐体本体部２１の左側に設けた。このため、サイホン３４０の機能を出せる高さが確保できる。
【００５２】
洗剤トレー１０は、洗剤容器３００の隣に仕上げ剤容器３５０を有する。この仕上げ剤容器３５０は設けないものもある。
【００５３】
乾燥フィルタ１１は、図９、図１０、図１１に示すように、フィルタ容器４００と、フィルタ容器４００の前側に設けられ、手前側に下がる傾斜形状の乾燥フィルタ用外カバー４１０と、乾燥フィルタ用外カバー４１０の後部側に設けられた乾燥フィルタ用外カバー取っ手蓋４２０を有する。
【００５４】
さらに乾燥フィルタ用外カバー４１０と乾燥フィルタ用取っ手蓋４２０は、支持枠４３０に支持されている。乾燥フィルタ用取っ手蓋４２０は、支持枠４３０にヒンジ４４０で回動自在に支持されている。ヒンジ４４０の回転軸には、付勢ばね（図示せず）が設けられる。
【００５５】
乾燥フィルタ用取っ手蓋４２０は、付勢ばね（図示せず）で乾燥フィルタ用外カバー４１０の後側端に対して面一状態が保たれるように付勢されている。
【００５６】
乾燥フィルタ１１の着脱に際しては、図１０に示すように、乾燥フィルタ用取っ手蓋４２０が乾燥フィルタ用外カバー４１０の後側端に対して段違いなるように手で押し下げられる。押し下げていた手を離すと、付勢ばねの力で面一状態に戻される（図９）。
【００５７】
乾燥フィルタ１１は収納された状態では、乾燥フィルタ用取っ手蓋４２０が乾燥フィルタ用外カバー４１０に対して段差もなく面一状態が保たれているので、すっきりと整った体裁の良いデザインになる。
【００５８】
また、乾燥フィルタ用取っ手蓋４２０、乾燥フィルタ用外カバー４１０は、手前側が下がるように傾斜する円弧形状をしているので、筐体本体部２１の湾曲上面部６に沿ったすっきりとした体裁の良いデザインになる。
【００５９】
乾燥フィルタ用取っ手蓋４２０が乾燥フィルタ用外カバー４１０の後部側に設けた理由について説明する。
【００６０】
前述したように、乾燥フィルタ１１は洗剤トレー１０よりも高い位置に設けられる。筐体本体部２１の表面を構成する湾曲上面部６は、円弧形状の面をしている。出入扉３を囲う筐体本体部２１の表面は、全体的に円弧形状の面をしている。
【００６１】
このため、洗剤トレー１０よりも高い位置に設けられる乾燥フィルタ１１は勾配（水平に対する傾斜角度）が小さくなる。そのため、洗剤トレー１０と同様に、乾燥フィルタ用取っ手蓋４２０を乾燥フィルタ用外カバー４１０の前側にすると、指を下側から掛けるようになるので、指が掛けにくくなる。
【００６２】
そこで、乾燥フィルタ用取っ手蓋４２０を乾燥フィルタ用外カバー４１０の後側に設けた。乾燥フィルタ用取っ手蓋４２０を押し込んで、指で引き上げるような掴み方になるので、良く掴める。乾燥フィルタ１１の着脱操作がし易い使い勝手の良いものである。
【００６３】
洗剤トレーは、乾燥フィルタ１１よりも低い位置に設けられているので、勾配が十分にあり、洗剤トレー用取っ手蓋が洗剤トレー用外カバーの下側に設けられても、下側から指が掛けやすく。洗剤トレーの着脱操作がし易く、使い勝手が良いのである。
【図面の簡単な説明】
【００６４】
【図１】本発明の実施例に係るドラム式洗濯乾燥機の外観斜視図である。
【図２】本発明の実施例に係るドラム式洗濯乾燥機の外観斜視図で、洗剤トレーおよび乾燥フィルタを引き出した状態を示している。
【図３】本発明の実施例に係るもので、ドラム式洗濯乾燥機の縦断面図である。
【図４】本発明の実施例に係るもので、筐体本体部を外してドラム式洗濯乾燥機の内部を示した斜視図である。
【図５】本発明の実施例に係るもので、洗剤トレーのところを断面し、かつ筐体本体部を外してドラム式洗濯乾燥機の内部を示した図である。
【図６】本発明の実施例に係るもので、乾燥フィルタのところを断面し、かつ筐体本体部を外してドラム式洗濯乾燥機の内部を示した図である。
【図７】本発明の実施例に係る洗剤トレーの外観斜視図である。
【図８】本発明の実施例に係る洗剤トレーの外観斜視図で、洗剤トレー用取っ手蓋が開かれた状態を示している。
【図９】本発明の実施例に係る乾燥フィルタの外観斜視図である。
【図１０】本発明の実施例に係る乾燥フィルタの外観斜視図で、乾燥フィルタ用取っ手蓋が開かれた状態を示している。
【図１１】本発明の実施例に係るもので、乾燥フィルタの断面図である。
【符号の説明】
【００６５】
３０…回転ドラム、２２…外槽、２１…筐体本体部、１０…洗剤トレー、１１…乾燥フィルタ、４００…フィルタ容器、４１０…乾燥フィルタ用外カバー、４２０…乾燥フィルタ用外カバー取っ手蓋。
【図１】
2008119054.tif 000003
【図２】
2008119054.tif 000004
【図３】
2008119054.tif 000005
【図４】
2008119054.tif 000006
【図５】
2008119054.tif 000007
【図６】
2008119054.tif 000008
【図７】
2008119054.tif 000009
【図８】
2008119054.tif 000010
【図９】
2008119054.tif 000011
【図１０】
2008119054.tif 000012
【図１１】
2008119054.tif 000013